【手続補正書】
【提出日】令和1年10月28日(2019.10.28)
【手続補正１】
【補正対象書類名】特許請求の範囲
【補正対象項目名】全文
【補正方法】変更
【補正の内容】
【特許請求の範囲】
【請求項１】
１つまたは複数の光学的に切り替え可能なデバイスを制御するための装置であって、
前記１つまたは複数の光学的に切り替え可能なデバイスの色付けを制御するよう構成された１つまたは複数の制御構成要素と、
前記１つまたは複数の制御構成要素に動作可能に接続された少なくとも１つの処理ユニットであって、前記少なくとも１つの処理ユニットは、（Ｉ）前記１つまたは複数の光学的に切り替え可能なデバイスの目標光学状態に少なくとも一部基づいてコマンド電圧信号を生成し、（ＩＩ）イネーブル信号を生成し、前記イネーブル信号は、（ｉ）前記１つまたは複数の光学的に切り替え可能なデバイスの目標光学状態に到達したという第１の表示に少なくとも一部応じて、前記１つまたは複数の制御構成要素をスリープモードに遷移させることによって、前記１つまたは複数の制御構成要素をディスエーブルにし、（ｉｉ）（ａ）前記目標光学状態の及び／又は（ｂ）前記目標光学状態からの前記１つまたは複数の光学的に切り替え可能なデバイスの動向の変化に少なくとも１部基づく第２の表示に応じて、前記１つまたは複数の制御構成要素を前記スリープモードから覚醒させることによって、前記１つまたは複数の制御構成要素をイネーブルにするように構成される、前記少なくとも１つの処理ユニットと、
前記少なくとも１つの処理ユニットに動作可能に接続され、前記コマンド電圧信号に少なくとも一部基づいて出力電圧信号を供給するように構成された電圧レギュレータと、
前記電圧レギュレータおよび前記１つまたは複数の光学的に切り替え可能なデバイスに動作可能に接続され、（Ａ）前記出力電圧信号の極性を維持する、または反転し、（Ｂ）前記極性で前記出力電圧信号を供給して、前記１つまたは複数の光学的に切り替え可能なデバイスに電力供給するように構成された極性スイッチと
を備える、装置。
【請求項２】
前記電圧レギュレータに動作可能に接続され、供給電圧で電源信号を受け取り、前記供給電圧の大きさを第１の電圧まで減少させ、前記第１の電圧で電力を前記電圧レギュレータに供給するように構成された第１のダウンコンバータをさらに備える、請求項１に記載の装置。
【請求項３】
前記供給電圧で前記電源信号を受け取り、前記供給電圧の大きさを第３の電圧まで減少させ、前記第３の電圧を供給して、前記少なくとも１つの処理ユニットに電力供給するように構成されている第２のダウンコンバータをさらに備える、請求項２に記載の装置。
【請求項４】
前記電圧レギュレータが、前記コマンド電圧信号に少なくとも一部基づいてパルス幅変調（ｐｕｌｓｅ−ｗｉｄｔｈ−ｍｏｄｕｌａｔｅｄ：ＰＷＭ）信号を生成するためのＨブリッジ電子回路を備え、
前記電圧レギュレータが、前記パルス幅変調（ｐｕｌｓｅ−ｗｉｄｔｈ−ｍｏｄｕｌａｔｅｄ：ＰＷＭ）信号をフィルタリングして前記出力電圧信号を供給するための誘導性要素を備える、
請求項１から３のいずれか１項に記載の装置。
【請求項５】
前記電圧レギュレータが、バーストモードで動作することができる、請求項１から４のいずれか１項に記載の装置。
【請求項６】
前記少なくとも１つの処理ユニットは、前記イネーブル信号を用いて、前記１つまたは複数の制御構成要素を前記スリープモードに遷移させるように構成されている、請求項１から５のいずれか１項に記載の装置。
【請求項７】
前記少なくとも１つの処理ユニットが、前記スリープモード中、前記電圧レギュレータを高インピーダンス状態に入らせるようにさらに構成されている、請求項６に記載の装置。
【請求項８】
前記第２の表示は、前記１つまたは複数の光学的に切り替え可能なデバイスの監視される色合い状態が閾値を横切ることに関連付けられている、請求項６または７に記載の装置。
【請求項９】
前記スリープモードは、第１のスリープモードであり、前記少なくとも１つの処理ユニットは、前記１つまたは複数の制御構成要素が指定された持続時間にわたって前記第１のスリープモードにあることに少なくとも一部応答して、第２のスリープモードに入るようにさらに構成されている、請求項６〜８のいずれか１項に記載の装置。
【請求項１０】
前記少なくとも１つの処理ユニットが、指定された間隔で定期的に前記第２のスリープモードから覚醒するようにさらに構成されている、請求項９に記載の装置。
【請求項１１】
前記少なくとも１つの処理ユニットが、コントローラまたはセンサからの割込みに応答して、前記第２のスリープモードから覚醒するようにさらに構成されている、請求項９に記載の装置。
【請求項１２】
前記少なくとも１つの処理ユニットが、メモリから、
（ｉ）１つまたは複数のデバイスパラメータ、
（ｉｉ）１つまたは複数の第１のドライブパラメータ、および／または
（ｉｉｉ）前記１つまたは複数の光学的に切り替え可能なデバイスに関連付けられた１つまたは複数のライト識別子
を読み取るように構成されている、請求項１から１１のいずれか１項に記載の装置。
【請求項１３】
前記少なくとも１つの処理ユニットが、前記装置に、前記１つまたは複数のデバイスパラメータと、前記１つまたは複数の第１のドライブパラメータと、前記１つまたは複数のライト識別子と、前記装置の識別子とを前記装置の外部のコントローラに送信させるようにさらに構成されている、請求項１２に記載の装置。
【請求項１４】
前記少なくとも１つの処理ユニットが、
（ｉ）前記コントローラから受信した１つまたは複数の第２のドライブパラメータを処理することであって、前記１つまたは複数の第２のドライブパラメータが、前記コントローラに前記装置によって予め送信された修正ドライブパラメータである、前記処理することと、
（ｉｉ）前記光学的に切り替え可能なデバイスをドライブする際に前記１つまたは複数の第２のドライブパラメータを適用させることと
を行うようにさらに構成されている、請求項１３に記載の装置。
【請求項１５】
１つまたは複数の光学的に切り替え可能なデバイスを制御するための装置であって、
前記１つまたは複数の光学的に切り替え可能なデバイスの色付けを制御するよう構成された１つまたは複数の制御構成要素と、
前記１つまたは複数の制御構成要素に動作可能に接続された少なくとも１つの処理ユニットであって、前記少なくとも１つの処理ユニットは、（Ｉ）前記１つまたは複数の光学的に切り替え可能なデバイスの目標光学状態に少なくとも一部基づいてコマンド電圧信号を生成し、（ＩＩ）イネーブル信号を生成し、前記イネーブル信号は、（ｉ）前記１つまたは複数の光学的に切り替え可能なデバイスの前記目標光学状態に到達したという第１の表示に少なくとも一部応じて、前記１つまたは複数の制御構成要素をスリープモードに遷移させることによって、前記１つまたは複数の制御構成要素をディスエーブルにし、（ｉｉ）（ａ）前記目標光学状態の及び／又は（ｂ）前記目標光学状態からの前記１つまたは複数の光学的に切り替え可能なデバイスの動向の変化に少なくとも１部基づく第２の表示に応じて、前記１つまたは複数の制御構成要素を前記スリープモードから覚醒させることによって、前記１つまたは複数の制御構成要素をイネーブルにするように構成される、前記少なくとも１つの処理ユニットと、
エネルギー貯蔵デバイスと、
前記エネルギー貯蔵デバイスおよび前記少なくとも１つの処理ユニットに動作可能に接続され、前記エネルギー貯蔵デバイスから電力を受け取り、（Ａ）前記エネルギー貯蔵デバイスからの前記電力および（Ｂ）前記コマンド電圧信号に少なくとも一部基づいて出力電圧信号を供給するように構成された第１の電圧レギュレータと、
光起電セルおよび前記エネルギー貯蔵デバイスに動作可能に接続され、（ＡＡ）前記光起電セルから電力を受け取り、（ＢＢ）前記光起電セルからの前記電力を調整して、前記エネルギー貯蔵デバイスを充電するように構成された第２の電圧レギュレータと
を備えた、装置。
【請求項１６】
前記第１の電圧レギュレータが、前記コマンド電圧信号に基づいてパルス幅変調（ｐｕｌｓｅ−ｗｉｄｔｈ−ｍｏｄｕｌａｔｅｄ：ＰＷＭ）信号を生成するためのＨブリッジ電子回路を備え、
前記第１の電圧レギュレータが、前記パルス幅変調（ｐｕｌｓｅ−ｗｉｄｔｈ−ｍｏｄｕｌａｔｅｄ：ＰＷＭ）信号をフィルタリングして直流電圧信号を供給するための少なくとも１つの誘導性要素を備える、
請求項１５に記載の装置。
【請求項１７】
前記第１の電圧レギュレータが、バーストモードで動作することができる、請求項１５に記載の装置。
【請求項１８】
１つまたは複数の光学的に切り替え可能なデバイスを制御するためのシステムであって、
前記１つまたは複数の光学的に切り替え可能なデバイスの色付けを制御するよう構成された１つまたは複数の制御構成要素を有する窓コントローラと、
前記窓コントローラに動作可能に接続された少なくとも１つの処理ユニットであって、前記少なくとも１つの処理ユニットは、
前記１つまたは複数の光学的に切り替え可能なデバイスの目標光学状態に少なくとも１部基づいてコマンド電圧信号を生成し、イネーブル信号を生成するように構成され、前記イネーブル信号は、（ｉ）前記１つまたは複数の光学的に切り替え可能なデバイスの前記目標光学状態に到達したという第１の表示に少なくとも一部応じて、前記１つまたは複数の制御構成要素をスリープモードに遷移させることによって、前記１つまたは複数の制御構成要素をディスエーブルにし、（ｉｉ）（ａ）前記目標光学状態の及び／又は（ｂ）前記目標光学状態からの前記１つまたは複数の光学的に切り替え可能なデバイスの動向の変化に少なくとも１部基づく第２の表示に応じて、前記１つまたは複数の制御構成要素を前記スリープモードから覚醒させることによって、前記１つまたは複数の制御構成要素をイネーブルにするよう構成される、前記少なくとも１つの処理ユニットと、
前記少なくとも１つの処理ユニットに動作可能に接続され、前記コマンド電圧信号に少なくとも一部基づいて出力電圧信号を供給するように構成された電圧レギュレータと、
前記電圧レギュレータおよび前記１つまたは複数の光学的に切り替え可能なデバイスに動作可能に接続され、前記出力電圧信号の極性を維持する、または反転し、前記極性で前記出力電圧信号を供給して、前記１つまたは複数の光学的に切り替え可能なデバイスに電力供給するように構成された極性スイッチと、
前記窓コントローラを制御するネットワークコントローラと
を備える、システム。
【請求項１９】
前記ネットワークコントローラが、（ｉ）ワイヤレスリンクまたは（ｉｉ）ワイヤードリンクを介して前記窓コントローラと通信する、請求項１８に記載のシステム。
【請求項２０】
前記ネットワークコントローラが、（ｉ）ワイヤレスリンク及び（ｉｉ）ワイヤードリンクを介して前記窓コントローラと通信し、前記ワイヤレスリンクが、ビデオ信号を含む通信を実行し、前記ワイヤードリンクが、検出された電気的特徴を示すデータを含む通信を実行する、請求項１８に記載のシステム。
【請求項２１】
前記処理ユニットは、前記目標光学状態に到達したという表示に少なくとも一部応答して、前記システムの１つまたは複数の構成要素をスリープモードに入らせるように構成されている、請求項１８〜２０のいずれか１項に記載のシステム。
【請求項２２】
前記処理ユニットは、前記光学的に切り替え可能なデバイスの色合い状態が閾値を横切ったという表示に応答して、前記１つまたは複数の構成要素を前記スリープモードから覚醒させるように構成されている、請求項２１に記載のシステム。
【請求項２３】
前記スリープモードは、第１のスリープモードであり、前記処理ユニットは、前記システムの前記１つまたは複数の構成要素が指定された持続時間にわたって前記第１のスリープモードにあることに少なくとも一部応答して、第２のスリープモードに入るようにさらに構成されている、請求項２１または２２に記載のシステム。
【請求項２４】
前記処理ユニットが、メモリから、
（ｉ）１つまたは複数のデバイスパラメータと、
（ｉｉ）１つまたは複数の第１のドライブパラメータと、
（ｉｉｉ）前記光学的に切り替え可能なデバイスに関連付けられた１つまたは複数のライト識別子と
を読み取るように構成されている、請求項１８〜２３のいずれか１項に記載のシステム。
【請求項２５】
１つまたは複数の光学的に切り替え可能なデバイスを制御するための方法であって、
（Ｉ）前記１つまたは複数の光学的に切り替え可能なデバイスの目標光学状態に少なくとも１部基づいてコマンド電圧信号を生成することと、
（ＩＩ）イネーブル信号を生成することであって、前記イネーブル信号は、（ｉ）前記１つまたは複数の光学的に切り替え可能なデバイスの前記目標光学状態に到達したという第１の表示に少なくとも一部応じて、前記１つまたは複数の光学的に切り替え可能なデバイスの色付けを制御するよう構成された１つまたは複数の制御構成要素をスリープモードに遷移させることによって、前記１つまたは複数の制御構成要素をディスエーブルにし、（ｉｉ）（ａ）前記目標光学状態の及び／又は（ｂ）前記目標光学状態からの前記１つまたは複数の光学的に切り替え可能なデバイスの動向の変化に少なくとも１部基づく第２の表示に応じて、前記１つまたは複数の制御構成要素を前記スリープモードから覚醒させることによって、前記１つまたは複数の制御構成要素をイネーブルにするように構成される、前記イネーブル信号を生成することと、
（ＩＩＩ）前記コマンド電圧信号に基づいて第１の電圧の大きさを増加させる、または減少させて、調整された電圧で出力電圧信号を供給することと、
（ＩＶ）極性制御信号に基づいて前記出力電圧信号の極性を維持する、または反転することと、
（Ｖ）前記調整された電圧で、前記極性制御信号に少なくとも１部基づく前記極性で前記出力電圧信号を前記１つまたは複数の光学的に切り替え可能なデバイスに供給することと
を含む、方法。
【請求項２６】
メモリから、１つまたは複数のデバイスパラメータと、１つまたは複数のドライブパラメータと、前記光学的に切り替え可能なデバイスに関連付けられた１つまたは複数のライト識別子とを読み取ること
をさらに含む、請求項２５に記載の方法。
【請求項２７】
前記１つまたは複数のデバイスパラメータと、前記１つまたは複数のドライブパラメータと、前記１つまたは複数のライト識別子と、第１のコントローラの識別子とのうちの少なくとも１つを、第２のコントローラに送信すること
をさらに含む、請求項２６に記載の方法。
【請求項２８】
前記１つまたは複数のドライブパラメータは、１つまたは複数の第１のドライブパラメータであり、前記方法は、
（ｉ）コントローラから受信した１つまたは複数の第２のドライブパラメータを処理することであって、前記１つまたは複数の第２のドライブパラメータが、前記コントローラに予め送信された修正ドライブパラメータである、前記処理することと、
（ｉｉ）前記光学的に切り替え可能なデバイスをドライブする際に前記１つまたは複数の第２のドライブパラメータを適用させることと
をさらに含む、請求項２６または２７に記載の方法。
【請求項２９】
光学的に切り替え可能なデバイスを制御するように構成された窓コントローラとインターフェースするための装置であって、
複数の窓コントローラと通信するためのインターフェースと、
前記インターフェースと動作可能に接続される１つまたは複数のプロセッサと
を備え、前記１つまたは複数のプロセッサが、
（ｉ）窓コントローラから受信したステータス情報を処理することであって、前記ステータス情報が、前記窓コントローラによって制御される１つまたは複数の光学的に切り替え可能なデバイスの色合いステータスを含む、前記処理することと、
（ｉｉ）前記ステータス情報の受信に応答して、１つまたは複数の色合いコマンドを、前記インターフェースを介して前記窓コントローラに送信することと
を行わせるように構成されている、
装置。
【請求項３０】
前記１つまたは複数のプロセッサが、
順次方式でまたは非同期方式で、１つまたは複数のステータス要求を前記複数の窓コントローラに送信させる
ように構成されている、請求項２９に記載の装置。
【請求項３１】
前記ステータス情報が、印加された電圧レベル、検出された電圧レベル、検出された電流、フォトセンサ情報、および温度センサ情報のうちの少なくとも１つを示す、請求項２９または３０に記載の装置。
【請求項３２】
前記１つまたは複数のプロセッサが、
第１の色合い状態から第２の色合い状態に遷移されるように光学的に切り替え可能なデバイスを制御すると前記窓コントローラを見なす
ことを行わせるように構成されている、請求項２９〜３１のいずれか１項に記載の装置。
【請求項３３】
前記１つまたは複数のプロセッサが、
（ａ）前記ステータス情報をログファイルにログデータとしてログすることと、
（ｂ）前記ログデータを分析することと、
（ｃ）１つまたは複数のデータベースの中のログファイルのストレージを管理することと
のうちの少なくとも１つを行わせるように構成されている、請求項２９〜３２のいずれか１項に記載の装置。
【請求項３４】
前記ログデータを分析することが、
（ａ）比較を生成するべく前記ステータス情報によって示された１つまたは複数の測定された電気的特徴を基準値または値域と比較することと、
（ｂ）前記比較に少なくとも１部基づいてエラー条件を確定することと
を含む、請求項３３に記載の装置。
【請求項３５】
前記１つまたは複数のプロセッサが、
前記エラー条件に少なくとも１部基づいて前記１つまたは複数の色合いコマンドの送信を遅延させる
ようにさらに構成されている、請求項３４に記載の装置。
【請求項３６】
前記ログデータを分析することが、前記ログデータをフィルタリングして、指定された期待値から逸脱する値を表す前記ログデータの一部分を得ることを含み、
前記ログファイルのストレージを管理することが、前記ログデータの前記一部分を識別することを含む、
請求項３３に記載の装置。
【請求項３７】
前記１つまたは複数のプロセッサは、
（ｉ）前記装置が上流コントローラと通信するための上流プロトコルと、（ｉｉ）前記装置が前記窓コントローラと通信するための下流プロトコルとの間で翻訳させる
ように構成されている、請求項２９〜３６のいずれか１項に記載の装置。
【請求項３８】
前記１つまたは複数のプロセッサが、
前記ステータス情報を含むパラメータに少なくとも１部基づいて１つまたは複数の色合い値を生成することであって、前記１つまたは複数の色合い値が、前記１つまたは複数の色合いコマンドで識別される、前記生成すること
を行わせるように構成されている、請求項２９〜３７のいずれか１項に記載の装置。
【請求項３９】
前記パラメータが、暦情報、太陽情報、温度情報、天候情報、サードパーティアプリケーションデータ、およびユーザ命令のうちの少なくとも１つを含む、請求項３８に記載の装置。
【請求項４０】
光学的に切り替え可能なデバイスを制御するためのシステムであって、
複数の光学的に切り替え可能なデバイスを制御するように構成された複数の窓コントローラと、
前記複数の窓コントローラに動作可能に接続され、前記複数の窓コントローラのうちの１つまたは複数を制御するように構成されたネットワークコントローラと
を備え、前記ネットワークコントローラが、１つまたは複数のプロセッサを備え、前記１つまたは複数のプロセッサが、
（ｉ）前記複数の窓コントローラのうちの窓コントローラから受信したステータス情報を処理することであって、前記ステータス情報が、前記窓コントローラによって制御される１つまたは複数の光学的に切り替え可能なデバイスの少なくとも１つの色合いステータスを示す、前記処理することと、
（ｉｉ）前記ステータス情報の受信に応答して、１つまたは複数の色合いコマンドを、インターフェースを介して前記窓コントローラに送信することと
を行わせるように構成されている、
システム。
【請求項４１】
前記１つまたは複数のプロセッサが、
順次方式でまたは非同期方式で、ステータス要求を前記複数の窓コントローラに送信させる
ように構成されている、請求項４０に記載のシステム。
【請求項４２】
前記ステータス情報が、印加された電圧レベル、検出された電圧レベル、検出された電流、フォトセンサ情報、および温度センサ情報のうちの少なくとも１つを示す、請求項４０または４１に記載のシステム。
【請求項４３】
前記１つまたは複数のプロセッサが、
第１の色合い状態から第２の色合い状態に遷移されるように光学的に切り替え可能なデバイスを制御すると前記窓コントローラを見なす
ことを行わせるように構成されている、請求項４０〜４２のいずれか１項に記載のシステム。
【請求項４４】
前記１つまたは複数のプロセッサが、
（ａ）前記窓コントローラの識別子と関連した前記ステータス情報をログファイルにログデータとしてログすることと、
（ｂ）前記ログデータを分析することと、
（ｃ）１つまたは複数のデータベースの中のログファイルのストレージを管理することと
のうちの少なくとも１つを行わせるように構成されている、請求項４０〜４３のいずれか１項に記載のシステム。
【請求項４５】
前記ログデータを分析することが、
（Ｉ）（ｉ）前記ステータス情報によって示された１つまたは複数の測定された電気的特徴を、（ｉｉ）比較を生成するための少なくとも一つの基準値と比較することと、
（ＩＩ）前記比較に少なくとも１部基づいてエラー条件を確定することと
を含む、請求項４４に記載のシステム。
【請求項４６】
前記１つまたは複数のプロセッサは、
（ｉ）前記システムが上流コントローラと通信するための上流プロトコルと、（ｉｉ）前記システムが前記窓コントローラと通信するための下流プロトコルとの間で翻訳させる
ように構成されている、請求項４０〜４５のいずれか１項に記載のシステム。
【請求項４７】
前記１つまたは複数のプロセッサが、
前記ステータス情報を含むパラメータに少なくとも１部基づいて１つまたは複数の色合い値を生成することであって、前記１つまたは複数の色合い値が、前記１つまたは複数の色合いコマンドで識別される、前記生成すること
を行わせるように構成されている、請求項４０〜４６のいずれか１項に記載のシステム。
【請求項４８】
光学的に切り替え可能なデバイスを制御する少なくとも１つの窓コントローラとインターフェースするための方法であって、
（ａ）前記少なくとも１つの窓コントローラからステータス情報を受信することであって、前記ステータス情報が、前記窓コントローラによって制御される１つまたは複数の光学的に切り替え可能なデバイスの少なくとも１つの色合いステータスを示す、前記受信することと、
（ｂ）前記受信したステータス情報に従って、１つまたは複数の色合いコマンドを生成することと、
（ｃ）前記生成した１つまたは複数の色合いコマンドを前記窓コントローラに送信することと
を含む、方法。
【請求項４９】
順次方式でまたは非同期方式で、ステータス要求を前記少なくとも１つの窓コントローラに送信すること
をさらに含む、請求項４８に記載の方法。
【請求項５０】
前記ステータス情報が、印加された電圧レベル、検出された電圧レベル、検出された電流、フォトセンサ情報、および温度センサ情報のうちの少なくとも１つを示す、請求項４８または４９に記載の方法。
【請求項５１】
第１の色合い状態から前記第１の色合い状態とは異なる第２の色合い状態に遷移されるように光学的に切り替え可能なデバイスを制御すると前記少なくとも１つの窓コントローラを見なすこと
をさらに含む、請求項４８〜５０のいずれか１項に記載の方法。
【請求項５２】
（ｄ）前記窓コントローラの識別子と関連した前記ステータス情報をログファイルにログデータとしてログすることと、
（ｅ）前記ログデータを分析することと、
（ｆ）１つまたは複数のデータベースの中のログファイルのストレージを管理することと
をさらに含む、請求項４８〜５１のいずれか１項に記載の方法。
【請求項５３】
（ｉ）上流コントローラと通信するための上流プロトコルと、（ｉｉ）前記窓コントローラと通信するための下流プロトコルとの間で翻訳すること
をさらに含む、請求項４８〜５２のいずれか１項に記載の方法。
【請求項５４】
前記ステータス情報を含む１つまたは複数のパラメータに少なくとも１部基づいて１つまたは複数の色合い値を生成することであって、前記１つまたは複数の色合い値が、前記１つまたは複数の色合いコマンドで識別される、前記生成すること
をさらに含む、請求項４８〜５３のいずれか１項に記載の方法。